(57)【特許請求の範囲】
【請求項１】
ヘッドレストレイントであって、
背面部分と、それから延在する２つの側面部分とにより構成されるヘッドレスト部材であって、同ヘッドレスト部材が、前記側面部分が第１の範囲で互いから離間される第１の状態と、前記側面部分が前記第１の範囲よりも小さい第２の範囲で互いから離間される第２の状態とを呈することを可能にするように、前記側面部分は前記背面部分に対して折り畳み可能である、ヘッドレスト部材と、
前記ヘッドレストレイントを座席に取り付けるための前記ヘッドレスト部材に連接する取付配置部と、
前記側面部分に枢動自在に連接し、少なくとも上方位置と下方位置との間の回転のために構成される拘束部材であって、その上方位置とその下方位置との間の変位は、前記ヘッドレスト部材がその第１及び第２の状態をそれぞれ呈する原因となるよう構成される拘束部材と、を備える、
ヘッドレストレイント。
【請求項２】
前記拘束部材は、２つの側面部材と、それらの間に配設される中央部材とにより構成され、前記側面部材の一方は、前記側面部分の一方の外装面に枢動自在に連接され、前記側面部材のもう一方は、前記側面部分のもう一方の外装面に枢動自在に連接される、請求項１に記載のヘッドレストレイント。
【請求項３】
前記側面部分のそれぞれは、その外装面に区切チャネルが形成され、
前記側面部材のそれぞれは突出部分を有し、
各突出部分は、各区切チャネル内に受け取られ、前記拘束部材の前記上方及び下方位置間の変位時に前記区切チャネルの２つの最端部間で変位されるよう構成される、請求項２に記載のヘッドレストレイント。
【請求項４】
前記ヘッドレストレイントはモジュール式であり、前記拘束部材がその上方及び下方位置間で変位されるよう前記ヘッドレスト部材に枢動自在に取り付けられる前部構成と、前記拘束部材が前記ヘッドレスト部材の後側に配設され、それに接続される後部構成との２つの構成を有し、前記後部構成において、前記拘束部材は、前記ヘッドレスト部材の外装面を略全体的に係合させ、前記ヘッドレストレイントは、丸められるか、折り畳まれることによって束ねられるよう構成される、請求項１に記載のヘッドレストレイント。
【請求項５】
前記拘束部材は、ユーザの前額部と前記拘束部材との間の距離を調整し、ユーザの頭部の上部と前記拘束部材との間の距離を調整し、異なる大きさの頭部に対して前記ヘッドレストレイントを調整するように、可変長を有する、請求項１に記載のヘッドレストレイント。
【請求項６】
前記取付配置部は、前記ヘッドレストレイントを座席のシートヘッドレストに取り付けるために構成される、請求項１に記載のヘッドレストレイント。
【請求項７】
ヘッドレストレイントであって、
背面部分と、それから延在する２つの側面部分とにより構成されるヘッドレスト部材と、
前記側面部分に枢動自在に連接し、少なくとも上方位置と下方位置との間の回転のために構成される拘束部材と、を備え、
前記ヘッドレスト部材が、前記側面部分が第１の範囲で互いから離間される第１の状態と、前記側面部分が前記第１の範囲よりも小さい第２の範囲で互いから離間される第２の状態とを呈することを可能にするように、前記ヘッドレスト部材の前記側面部分は前記背面部分に対して折り畳み可能であり、
その上方位置とその下方位置との間の前記拘束部材の変位は、前記ヘッドレスト部材がその第１及び第２の状態をそれぞれ呈する原因となるよう構成される、
ヘッドレストレイント。
【請求項８】
更に、前記ヘッドレストレイントを座席に取り付けるための前記ヘッドレスト部材に連接する取付配置部を備える、請求項７に記載のヘッドレストレイント。
【請求項９】
前記拘束部材は、２つの側面部材と、それらの間に配設される中央部材とにより構成され、前記側面部材の一方は、前記側面部分の一方の外装面に枢動自在に連接され、前記側面部材のもう一方は、前記側面部分のもう一方の外装面に枢動自在に連接される、請求項７に記載のヘッドレストレイント。
【請求項１０】
前記側面部分のそれぞれは、その外装面に区切チャネルが形成され、
前記側面部材のそれぞれは突出部分を有し、
各突出部分は、各区切チャネル内に受け取られ、前記拘束部材の前記上方及び下方位置間の変位時に前記区切チャネルの２つの最端部間で変位されるよう構成される、請求項９に記載のヘッドレストレイント。
【請求項１１】
前記ヘッドレストレイントはモジュール式であり、前記拘束部材がその上方及び下方位置間で変位されるよう前記ヘッドレスト部材に枢動自在に取り付けられる前部構成と、前記拘束部材が前記ヘッドレスト部材の後側に配設され、それに接続される後部構成との２つの構成を有し、前記後部構成において、前記拘束部材は、前記ヘッドレスト部材の外装面を略全体的に係合させ、前記ヘッドレストレイントは、丸められるか、折り畳まれることによって束ねられるよう構成される、請求項７に記載のヘッドレストレイント。
【請求項１２】
前記拘束部材は、ユーザの前額部と前記拘束部材との間の距離を調整し、ユーザの頭部の上部と前記拘束部材との間の距離を調整し、異なる大きさの頭部に対して前記ヘッドレストレイントを調整するように、可変長を有する、請求項７に記載のヘッドレストレイント。
【請求項１３】
座席であって、
（ａ）着座部分と、
（ｂ）シートヘッドレストと、
（ｃ）前記シートヘッドレストに取り付けられる背面部分とそれから延在する２つの側面部分とにより構成されるヘッドレスト部材と、前記側面部分に枢動自在に連接し、少なくとも上方位置と下方位置との間の回転のために構成される拘束部材とを備えるヘッドレストレイントと、を備え、
前記ヘッドレスト部材が、前記側面部分が第１の範囲で互いから離間される第１の状態と、前記側面部分が前記第１の範囲よりも小さい第２の範囲で互いから離間される第２の状態とを呈することを可能にするように、前記ヘッドレスト部材の前記側面部分は前記背面部分に対して折り畳み可能であり、
その上方位置とその下方位置との間の前記拘束部材の変位は、前記ヘッドレスト部材がその第１及び第２の状態をそれぞれ呈する原因となるよう構成される、
座席。
【請求項１４】
前記下方位置において、前記拘束部材は、間隙が前額部と前記拘束部材との間に延在するように、ユーザの前記前額部から離間される、請求項１３に記載の座席。
【請求項１５】
前記拘束部材は、２つの側面部材と、それらの間に配設される中央部材とにより構成され、前記側面部材の一方は、前記側面部分の一方の外装面に枢動自在に連接され、前記側面部材のもう一方は、前記側面部分のもう一方の外装面に枢動自在に連接される、請求項１３に記載の座席。
【請求項１６】
前記側面部分のそれぞれは、その外装面に区切チャネルが形成され、
前記側面部材のそれぞれは突出部分を有し、
各突出部分は、各区切チャネル内に受け取られ、前記拘束部材の前記上方及び下方位置間の変位時に前記区切チャネルの２つの最端部間で変位されるよう構成される、請求項１５に記載の座席。
【発明の詳細な説明】
【技術分野】
【０００１】
この現在開示する主題は、ヘッドレストレイントに関し、特に、シートと共に使用するためのヘッドレストレイントに関する。
【背景技術】
【０００２】
ヘッドレストレイントは、例えば、ユーザが眠った場合又は身体疾患を有する個人の場合に座席に着座している間にユーザに対して向上した頭部及び頸部支持を提供するために用いられる。ヘッドレストレイントは、ユーザの頭部が前方に傾斜するか、左又は右側に傾くことを防ぐために用いることができる。これにより、座席に座っている間のユーザの頭部の快適で安定性のある支持を提供する。
【０００３】
例えば、眠っている間、通常、頭部を支持する人間の身体の頸部及び背中の筋肉は弛緩している。人間（乳児等）が自動車の座席で眠っている場合の結果、彼らの頭部は前方に傾斜するか、左又は右に「横揺れ」し、ユーザの頸部及び脊柱を歪ませ、子供が享受する眠りの質を低下させる不快の原因となる。街中の道路において、又はその周囲を運転中、車両の加速、制動、及び急旋回にそれぞれ関する力は、子供の頭部が支持されていないことに起因する頸部及び脊柱への悪影響を更に拡大する。
【０００４】
当該技術分野において公知の大人及び子供用の多くのヘッドレストレイントが存在している。一実施例は、２組の面型ファスナを用いて、そして代替として、２つの回転ディスクの使用により、子供用カーシートの両側に取り付けられるパッド付ストラップを開示する米国特許第７，７４０，３１８号明細書に開示されている。追加の実施例は、子供の前額部の一部を水平に横切って延在する第１の位置と子供の前額部から離間して配設される第２の位置との間で変位可能な可撓性材料から形成される支持アームを含むヘッドレストレイントシステムを開示する米国特許出願公開第２０１３／０３００１７６号明細書に開示されている。
【発明の概要】
【課題を解決するための手段】
【０００５】
現在開示する主題の第１の態様によれば、ヘッドレストレイントであって、
背面部分と、それから延在する２つの側面部分とにより構成されるヘッドレスト部材と、
前記ヘッドレストレイントをシートに取り付けるための前記ヘッドレスト部材に連接する取付配置部と、
前記側面部分に枢動自在に連接し、少なくとも上方位置と下方位置との間の回転のために構成される拘束部材と、を備えるヘッドレストレイントが提供される。
【０００６】
ヘッドレストレイントは、例えば、ユーザが眠った場合又は身体疾患を有する個人の場合に座席に着座している間にユーザに対して向上した頭部及び頸部支持を提供するために構成されている。より詳細には、拘束部材は、ユーザの頭部が前方に傾斜することを防ぐために構成され、ヘッドレスト部材は、ユーザの頭部が左又は右側に傾くことを防ぐために構成されている。これにより、座席に座っている間のユーザの頭部の快適で安定性のある支持を提供する。ヘッドレストレイントは、車両の旋回、制動、又は衝突時にユーザに対して向上した頭部及び頸部安定性を提供するように、車両の座席等のいずれかの座席に取り付けることができる。
【０００７】
使用中、ユーザの頭部がヘッドレストレイントに位置決めされる場合、その上方位置にある拘束部材は、使用の頭部の上に実質的に位置することができ、その下方位置において、拘束部材は、ユーザの前額部の前に実質的に位置することができる。
【０００８】
明細書及び特許請求の範囲においてこの文書中で用いるような用語「ユーザ」は、個人、乳幼児、子供、又は大人を意味している。
【０００９】
明細書及び特許請求の範囲においてこの文書中で用いるような用語「車両」は、車椅子、自動車、バス、列車、船、飛行機等を意味している。
【００１０】
明細書及び特許請求の範囲においてこの文書中で用いるような用語「座席」は、子供用補助シート、ハイバック子供用補助シート、チャイルドシート、ベビーカー、車両用シート、車椅子の座席、椅子、ベンチ等を指している。用語「座席」は、また、シートヘッドレスト等の座席の一部、又は、何らかの従来の座席のその他の部分も指す。
【００１１】
ヘッドレストレイントは付加装置であってもよく、すなわち、それは様々な種類の座席に設置されてもよい。
【００１２】
以下の特徴、意匠、及び構成のうちのいずれか１つ以上は、第１の態様に従って、個々に、又は、それらの組み合わせで現在開示する主題に組み込まれてもよい。
【００１３】
ヘッドレスト部材が、側面部分が第１の範囲で互いから離間される第１の状態と、側面部分が第１の範囲よりも小さい第２の範囲に互いから離間される第２の状態とを呈することを可能にするように、ヘッドレスト部材の側面部分は、背面部分に対して折り畳み可能であってもよい。
【００１４】
第２の状態において、側面部分はユーザの耳の近傍に配設されてもよい。これは、騒音を低減し、従って、ユーザの眠りの質を向上することに有用である可能性がある。
【００１５】
側面部分のそれぞれは、第２の状態において、ユーザの耳に音を提供するためにユーザの耳の近傍にイヤホンが配設されるように、イヤホンと共に構成されてもよい。音は、例えば、リラックスさせる音楽、物語、又は親の声であってもよい。
【００１６】
その上方位置とその下方位置との間の拘束部材の変位は、ヘッドレスト部材がその第１及び第２の状態をそれぞれ呈する原因となるよう構成されてもよい。
【００１７】
背面部分及び側面部分は、一体化され、互いに連続又は取付可能であってもよい。
【００１８】
背面部分及び側面部分は、支持クッションとして形成されてもよい。
【００１９】
背面部分は、ユーザの頭部の背面部分に対する支持を提供するよう構成され、側面部分は、ユーザの頭部の側面部分に対する支持を提供するよう構成される。側面部分は、ユーザの頭部のための側面衝撃保護具を構成してもよい。
【００２０】
上方及び下方位置間の拘束部材の回転は、ユーザ自身によって、彼の手のうちの一方によって行われてもよい。
【００２１】
下方位置において、拘束部材は、間隙が前額部と拘束部材との間に延在するように、ユーザの前額部から離間されてもよい。この間隙は、前額部と拘束部材との間の接触がないため、格別の快適度をユーザに提供できる。しかし、頭部の前方移動を区切るため拘束部材が有効に動作することを可能にするために、間隙は大きすぎるべきではない。
【００２２】
拘束部材は、２つの側面部材及びそれらの間に配設される中央部材により構成される。側面部材のうちの一方はヘッドレスト部材の一方の側面部分の外装面に枢動自在に連接してもよく、側面部材のうちのもう一方はヘッドレスト部材の側面部分のもう一方の外装面に枢動自在に連接してもよい。枢動自在接続は、スナップファスナによって提供されてもよい。
【００２３】
拘束部材の中央部材はストラップとして形成されてもよい。
【００２４】
側面部分のそれぞれは、その外装面に形成される区切チャネルと共に構成されてもよい。
【００２５】
側面部材のそれぞれは、上方及び下方位置間の拘束部材の変位時に、そのそれぞれの区切チャネル内に受け取られ、その２つの最端部間で変位されるよう構成される突出部分と共に構成されてもよい。
【００２６】
側面部材及び区切チャネルは、可撓性であるが、硬質の塑性材料でできていてもよい。例えば、側面部材及び区切チャネルは、ポリプロピレン等のポリマーでできていてもよい。
【００２７】
区切チャネルは円弧形状を有してもよく、その長さは、その上方及び下方位置においてヘッドレスト部材と拘束部材との間の角度に対応する。
【００２８】
ヘッドレストレイントはモジュール式であり、以下の２つの構成：
−拘束部材が、その上方及び下方位置間で変位されるようヘッドレスト部材に枢動自在に取り付けられる前部構成と、
−拘束部材が、ヘッドレスト部材の後側に配設され、それに接続される後部構成を有し、後部構成において、拘束部材は、ヘッドレスト部材の外装面を略全体的に係合させ、後部構成において、ヘッドレストレイントは、丸められるか、折り畳まれることによってコンパクトに束ねられてもよい。
【００２９】
拘束部材は、ユーザの前額部と前記拘束部材との間の距離を調整し、ユーザの頭部の上部と前記拘束部材との間の距離を調整し、異なる大きさの頭部に対して前記ヘッドレストレイントを調整するように、可変長を有してもよい。
【００３０】
側面部材は、面ファスナ（例えば、Ｖｅｌｃｒｏ（登録商標）ファスナ）によって中央部材に連接してもよい。
【００３１】
面ファスナは、拘束部材の長さを調節することを可能にしてもよい。その上、面ファスナは、側面部材に対する中央部材の垂直位置を調節することを可能にしてもよい。この垂直調節は、中央部材をユーザの（例えば、子供の）前額部の正確に前に位置決めすることを可能にしてもよい。しかし、大人がヘッドレスト部材を用いる場合、中央部材は、安眠マスクとして用いられるように、彼の眼の前に位置してもよい。
【００３２】
中央部材は、可撓性であってもよく、軟質で剛体ではあるが、曲げやすい材料から形成されてもよい。
【００３３】
ヘッドレスト部材も、可撓性であってもよく、軟質で剛体ではあるが、曲げやすい材料から形成されてもよい。
【００３４】
取付配置部は、２対のストリップを備えていてもよい。各ストリップ対は、バックル、長さ調節要素、又は面ファスナ等の手段を接続することによって互いに連接している。
【００３５】
取付配置部は、ヘッドレストレイントを座席のシートヘッドレストに取り付けるために構成されてもよい。
【００３６】
取付配置部は、座席に対して、及び、ユーザの頭部の高さに対してヘッドレストレイントの高さを調節するために用いられてもよい。
【００３７】
ヘッドレストレイントは、更に、子供又は乳幼児が車両内に置き去りにされている状況を検出するためのそれに取り付けられる感知ユニットを含んでもよい。かかる感知ユニットは、かかる状況を警告するための警告システムと共に構成されてもよい。
【００３８】
ヘッドレストレイントは、更に、ユーザの声（例えば、子供の声）を増幅するためのそれに取り付けられるマイクロフォンを含んでもよい。
【００３９】
現在開示する主題の第２の態様によれば、ヘッドレストレイントであって、
背面部分と、それから延在する２つの側面部分とにより構成されるヘッドレスト部材と、
前記側面部分に枢動自在に連接し、少なくとも上方位置と下方位置との間の回転のために構成される拘束部材と、を備え、
ヘッドレスト部材が、側面部分が第１の範囲で互いから離間される第１の状態と、側面部分が前記第１の範囲よりも小さい第２の範囲に互いから離間される第２の状態とを呈することを可能にするように、ヘッドレスト部材の側面部分は背面部分に対して折り畳み可能である、ヘッドレストレイントが提供される。
【００４０】
現在開示する主題の第３の態様によれば、座席であって、
（ａ）着座部分と、
（ｂ）シートヘッドレストと、
（ｃ）シートヘッドレストに取り付けられる背面部分とそれから延在する２つの側面部分とにより構成されるヘッドレスト部材と、前記側面部分に枢動自在に連接し、少なくとも上方位置と下方位置との間の回転のために構成される拘束部材とを備えるヘッドレストレイントと、を備え、
ヘッドレスト部材が、側面部分が第１の範囲で互いから離間される第１の状態と、側面部分が前記第１の範囲よりも小さい第２の範囲に互いから離間される第２の状態とを呈することを可能にするように、ヘッドレスト部材の側面部分は背面部分に対して折り畳み可能である、座席が提供される。
【００４１】
以下の特徴、意匠、及び構成のうちのいずれか１つ以上は、第２又は第３の態様に従って、個々に、又は、それらの組み合わせで現在開示する主題に組み込まれてもよい。
その上方位置とその下方位置との間の拘束部材の変位は、ヘッドレスト部材がその第１及び第２の状態をそれぞれ呈する原因となるよう構成されてもよい。
【００４２】
背面部分は、縫製、クリップ、ジッパ、面ファスナ等のような様々な締結手段によってシートヘッドレストに取り付けられてもよい。
【００４３】
ヘッドレストレイントは、子供用補助シート、チャイルドシート、ベビーカー、車両用シート、車椅子の座席、椅子、ベンチ等のような様々な種類の座席に取り付けられてもよい。
【００４４】
第２の状態において、側面部分はユーザの耳の近傍に配設されてもよい。これは、騒音を低減し、従って、ユーザの眠りの質を向上することに有用である可能性がある。
【００４５】
側面部分のそれぞれは、第２の状態において、ユーザの耳に音を提供するためにユーザの耳の近傍にイヤホンが配設されるように、イヤホンと共に構成されてもよい。音は、例えば、リラックスさせる音楽、物語、又は親の声であってもよい。
【００４６】
背面部分及び側面部分は、一体化され、互いに連続又は取付可能であってもよい。
【００４７】
背面部分及び側面部分は、支持クッションとして形成されてもよい。
【００４８】
背面部分は、ユーザの頭部の背面部分に対する支持を提供するよう構成され、側面部分は、ユーザの頭部の側面部分に対する支持を提供するよう構成される。側面部分は、ユーザの頭部のための側面衝撃保護具を構成してもよい。
【００４９】
上方及び下方位置間の拘束部材の回転は、ユーザ自身によって、彼の手のうちの一方によって行われてもよい。
【００５０】
下方位置において、拘束部材は、間隙が前額部と拘束部材との間に延在するように、ユーザの前額部から離間されてもよい。この間隙は、前額部と拘束部材との間の接触がないため、格別の快適度をユーザに提供できる。しかし、頭部の前方移動を区切るため拘束部材が有効に動作することを可能にするために、間隙は大きすぎるべきではない。
【００５１】
拘束部材は、２つの側面部材及びそれらの間に配設される中央部材により構成される。側面部材のうちの一方はヘッドレスト部材の一方の側面部分の外装面に枢動自在に連接してもよく、側面部材のうちのもう一方はヘッドレスト部材の側面部分のもう一方の外装面に枢動自在に連接してもよい。枢動自在接続は、スナップファスナによって提供されてもよい。
【００５２】
拘束部材の中央部材はストラップとして形成されてもよい。
【００５３】
側面部分のそれぞれは、その外装面に形成される区切チャネルと共に構成されてもよい。
【００５４】
側面部材のそれぞれは、上方及び下方位置間の拘束部材の変位時に、そのそれぞれの区切チャネル内に受け取られ、その２つの最端部間で変位されるよう構成される突出部分と共に構成されてもよい。
【００５５】
側面部材及び区切チャネルは、可撓性であるが、硬質の塑性材料でできていてもよい。例えば、側面部材及び区切チャネルは、ポリプロピレン等のポリマーでできていてもよい。
【００５６】
区切チャネルは円弧形状を有してもよく、その長さは、その上方及び下方位置においてヘッドレスト部材と拘束部材との間の角度に対応する。
【００５７】
ヘッドレストレイントはシートヘッドレストから分離されてもよい。
【００５８】
ヘッドレストレイントはモジュール式であり、以下の２つの構成：
−拘束部材が、その上方及び下方位置間で変位されるようヘッドレスト部材に枢動自在に取り付けられる前部構成と、
−拘束部材が、ヘッドレスト部材の後側に配設され、それに接続される後部構成を有し、後部構成において、拘束部材は、ヘッドレスト部材の外装面を略全体的に係合させ、後部構成において、ヘッドレストレイントは、丸められるか、折り畳まれることによってコンパクトに束ねられてもよい。
【００５９】
拘束部材は、ユーザの前額部と前記拘束部材との間の距離を調整し、ユーザの頭部の上部と前記拘束部材との間の距離を調整し、異なる大きさの頭部に対して前記ヘッドレストレイントを調整するように、可変長を有してもよい。
【００６０】
側面部材は、面ファスナ（例えば、Ｖｅｌｃｒｏ（登録商標）ファスナ）によって中央部材に連接してもよい。
【００６１】
面ファスナは、拘束部材の長さを調節することを可能にしてもよい。その上、面ファスナは、側面部材に対する中央部材の垂直位置を調節することを可能にしてもよい。この垂直調節は、中央部材をユーザの（例えば、子供の）前額部の正確に前に位置決めすることを可能にしてもよい。しかし、大人がヘッドレスト部材を用いる場合、中央部材は、安眠マスクとして用いられるように、彼の眼の前に位置してもよい。
【００６２】
中央部材は、可撓性であってもよく、軟質で剛体ではあるが、曲げやすい材料から形成されてもよい。
【００６３】
ヘッドレスト部材も、可撓性であってもよく、軟質で剛体ではあるが、曲げやすい材料から形成されてもよい。
【００６４】
ヘッドレストレイントは、更に、子供又は乳幼児が車両内に置き去りにされている状況を検出するためのそれに取り付けられる感知ユニットを含んでもよい。かかる感知ユニットは、かかる状況を警告するための警告システムと共に構成されてもよい。
【００６５】
ヘッドレストレイントは、更に、ユーザの声（例えば、子供の声）を増幅するためのそれに取り付けられるマイクロフォンを含んでもよい。
【００６６】
この文書中で開示される主題をより良く理解し、それがどのように実際に行われてもよいかを例示するために、実施形態を、非限定的な実施例のみを用いて、添付図面を参照してここで説明する。
【図面の簡単な説明】
【００６７】
【図１Ａ】図１Ａは、現在開示する主題の一実施例による、拘束部材がその上方位置にあるヘッドレストレイントの正面斜視図である。
【図１Ｂ】図１Ｂは、個人の頭部が重ね合わされた図１Ａのヘッドレストレイントの平面図である。
【図１Ｃ】図１Ｃは、図１Ａのヘッドレストレイントの側面図である。
【図１Ｄ】図１Ｄは、図１Ａのヘッドレストレイントの正面図である。
【図１Ｅ】図１Ｅは、車両内のチャイルドシート上に設置された図１Ｄのヘッドレストレイントである。
【図１Ｆ】図１Ｆは、子供がチャイルドシートに着座し、彼女の頭部がヘッドレストレイントに位置決めされている図１Ｅのヘッドレストレイントである。
【図２Ａ】図２Ａは、拘束部材がその下方位置にある図１Ａのヘッドレストレイントの正面斜視図である。
【図２Ｂ】図２Ｂは、図２Ａのヘッドレストレイントの上面図である。
【図２Ｃ】図２Ｃは、図２Ａのヘッドレストレイントの側面図である。
【図２Ｄ】図２Ｄは、図２Ａのヘッドレストレイントの正面図である。
【図２Ｅ】図２Ｅは、車両内のチャイルドシート上に設置された図２Ｄのヘッドレストレイントである。
【図２Ｆ】図２Ｆは、子供がチャイルドシートに着座し、彼女の頭部がヘッドレストレイントに位置決めされている図２Ｅのヘッドレストレイントである。
【図３】図３は、ヘッドレストレイントの拘束部材及びヘッドレスト部材が互いから分解されている分解構成にある図１Ａのヘッドレストレイントである。
【図４Ａ】図４Ａは、拘束部材が、ヘッドレスト部材の後側に位置し、それに接続される後部構成にある図１Ａのヘッドレストレイントである。
【図４Ｂ】図４Ｂは、その束ねられた形態にある図４Ａのヘッドレストレイントである。
【図５】図５は、現在開示する主題の別の実施例による、チャイルドシートと一体化されたヘッドレストレイントの正面図である。
【図６Ａ】図６Ａは、拘束部材がその上方位置にある図５の実施例によるヘッドレストレイントの正面斜視図である。
【図６Ｂ】図６Ｂは、個人の頭部が重ね合わされた図６Ａのヘッドレストレイントの平面図である。
【図６Ｃ】図６Ｃは、図６Ａのヘッドレストレイントの側面図である。
【図６Ｄ】図６Ｄは、図６Ａのヘッドレストレイントの正面図である。
【図６Ｅ】図６Ｅは、車両内のチャイルドシート上に設置された図６Ｄのヘッドレストレイントである。
【図６Ｆ】図６Ｆは、子供がチャイルドシートに着座し、彼女の頭部がヘッドレストレイントに位置決めされている図６Ｅのヘッドレストレイントである。
【図７Ａ】図７Ａは、拘束部材がその下方位置にある図６Ａのヘッドレストレイントの正面斜視図である。
【図７Ｂ】図７Ｂは、図７Ａのヘッドレストレイントの上面図である。
【図７Ｃ】図７Ｃは、図７Ａのヘッドレストレイントの側面図である。
【図７Ｄ】図７Ｄは、図７Ａのヘッドレストレイントの正面図である。
【図７Ｅ】図７Ｅは、車両内のチャイルドシートと一体化された図７Ｄのヘッドレストレイントである。
【図７Ｆ】図７Ｆは、子供がチャイルドシートに着座し、彼女の頭部がヘッドレストレイントに位置決めされている図７Ｅのヘッドレストレイントである。
【図８】図８は、ヘッドレストレイントの拘束部材及びヘッドレスト部材が互いから分解されている分解構成にある図６Ａのヘッドレストレイントである。
【発明を実施するための形態】
【００６８】
最初に、概して１で示す現在開示する主題の一実施例によるヘッドレストレイントを示す図の図１Ａ〜１Ｆに注目する。
【００６９】
ヘッドレストレイント１は、ヘッドレスト部材１０と、それに枢動自在に連接する拘束部材４０と、子供が着座できる（図１Ｅ、１Ｆ、２Ｅ、及び２Ｆに示す）チャイルドシート３への又はその他のシートへの付加装置としてヘッドレストレイント１を取り付けるためのヘッドレスト部材１０から延在する取付配置部７０とを備えている。
【００７０】
拘束部材４０は、上方位置（図１Ａ〜１Ｆに示す）と下方位置（図２Ａ〜２Ｆに示す）との間でＸ軸（図１Ｂ及び２Ｂに示す）を中心としてヘッドレスト部材１０に対して回転されるよう構成される。この回転は、ユーザ自身によって、彼の手のうちの一方によって行うことができる。
【００７１】
ここで、チャイルドシート３のシートヘッドレスト４に取り付けられるヘッドレストレイント１の動作の一般的な方法を説明するために、図１Ｆ及び２Ｆを参照する。
【００７２】
図１Ｆに示すように、拘束部材４０の上方位置において、子供５がチャイルドシート３に着座しており、彼女の頭部６はヘッドレスト部材１０に寄りかかっており、拘束部材４０が弓状様式で頭部６の上にあるが、子供の頭部の上に十分な間隙を持って配設されている。加えて、ヘッドレスト部材１０は、その第１及び第２の側面部分２０及び３０が第１の範囲で互いから離間されているその第１の状態にある。この位置において、子供５は起きており、彼女の頭部６は、前方向及び各側面に対して自由に動かせるが、シートヘッドレストの側面部分４ａ及び４ｂによってある特定の範囲に対して制限されている。
【００７３】
図２Ｆに示すように、子供５が眠ってしまい、従って、ヘッドレストレイント１が下方位置にある。この位置において、拘束部材４０は、前方向への頭部６の動きを拘束するために、子供５の前額部７の前方に配設される。加えて、ヘッドレスト部材１０は、その側面部分が互いから第１の範囲よりも小さい第２の範囲まで離間されているその第２の状態にあり、それによって、側方への頭部６の動きを拘束している。拘束部材４０及びヘッドレスト部材１０の側面部分によるこのレストレイントは、子供５が眠っている間の頭部６の向上した安定性と快適な支持とを提供する。特に、拘束部材４０は、ユーザの頭部６が前方に傾斜することを防ぎ、第１及び第２の側面部分２０及び３０は、ユーザの頭部６が左又は右側に傾くことを防ぐ。その上、上記のレストレイントは、車両の旋回、制動、又は衝突時に、ユーザに対して向上した頭部及び頸部安定性を提供できる。
【００７４】
ここで、拘束部材４０がその上方位置にあり、ヘッドレスト部材１０がその第１の状態にあるヘッドレストレイント１の動作の構造及び方法を詳細な方法で説明するために、図１Ａ〜１Ｆを参照する。
【００７５】
ヘッドレスト部材１０は、背面部分１２、第１の側面部分２０、及び第２の側面部分３０を有している。背面部分１２並びに第１及び第２の側面部分２０及び３０は、子供の頭部６のための支持クッションとして形成されている。図１Ｂに示すように、背面部分１２は、頭部６の背面部分９に対する支持を提供する。
【００７６】
第１の側面部分２０及び第２の側面部分３０は、それぞれ、背面部分１２の２つの対向する端部、すなわち、第１の端部１３及び第２の端部１４から延在している。その上、第１の側面部分２０及び第２の側面部分３０は、ヘッドレスト部材１０の第１の状態（図１Ａ〜１Ｆ）と第２の状態（図２Ａ〜２Ｆ）との間で、中央部分１２に対して折り畳むことができる。
【００７７】
拘束部材４０は、第１の側面部材５０、第２の側面部材６０、及びそれらの間に配設される中央部材４２により構成される。中央部材４２は、ストラップとして形成され、図１Ｆに示すように、子供の頭部６の上に配設される。
【００７８】
第１の側面部材５０及び第２の側面部材６０は、面ファスナによって中央部材４２に取り付けられる。面ファスナは、（拘束部材の下方位置において）子供の前額部と拘束部材４０との間の距離、（拘束部材の上方位置において）子供の頭部の上部と拘束部材４０との距離を調整し、異なる大きさの頭部に対してヘッドレストレイント１を調整するように、拘束部材４０の長さを調節することを可能にする。
【００７９】
その上、面ファスナは、第１及び第２の側面部材５０及び６０に対する中央部材４２の垂直位置を調節することを可能にする。例えば、ヘッドレストレイント１のユーザが、安眠マスクとして中央部材４２を使用したい場合、彼は、中央部材４２が彼の前額部ではなく、彼の眼の前に位置するように、第１及び第２の側面部材５０及び６０に対して中央部材４２を位置決めできる。
【００８０】
ヘッドレスト部材１０への拘束部材４０の枢動自在の連接は、第１のスナップファスナ５４（図３に示す）を用いて第１の側面部分２０の外装面２２（図３に示す）への第１の側面部材５０によって、及び、第２のスナップファスナ６４を用いて第２の側面部分３０の外装面３２への第２の側面部材６０の連接によって提供される。
【００８１】
第１の側面部分２０は、外装面２２に形成される第１の区切チャネル５２（図３に示す）と共に構成され、第２の側面部分３０は、外装面３２に形成される第２の区切チャネル６２と共に構成される。第１の区切チャネル５２は、外装面２２に取り付けられるチャネル要素５１内に形成される。第２の区切チャネル６２は、外装面３２に取り付けられるチャネル要素６１内に形成される。特定の実施例によれば、外装面２２及び３２のチャネル要素５１及び６１は、接続ストリップ（図３で見て取れる）によって接続されることによって、単一要素に関連している。
【００８２】
第１の区切チャネル５２及び第２の区切チャネル６２は円弧形であり、その長さは、拘束部材の上方及び下方位置間のヘッドレスト部材１０と拘束部材４０との間の角度に対応している。本実施例によれば、この角度は約１２０°である。
【００８３】
図３で見て取れるように、第１の側面部材５０は、その上方及び下方位置間の拘束部材４０の変位時に、その２つの最端部間で第１の区切チャネル５２内に受け取られ、摺動自在に変位できる第１の突出部分５５と共に構成される。
【００８４】
図１Ａ及び１Ｃに示すように、第２の側面部材６０は、上方及び下方位置間の拘束部材４０の変位時に、それぞれ、下端部６６と上端部６７との間で第２の区切チャネル６２内に受け取られ、摺動自在に変位できる第２の突出部分６５（図１Ａにおいて図示せず）と共に構成される。下端部６６は、その上方位置を超える拘束部材４０の更なる上方枢動を制限し、上端部６６は、その下方位置を超える拘束部材４０の更なる下方枢動を制限し、それによって、例えば、中央部材４２が、所定レベル、例えば、子供の眼の前よりも低く位置することを防いでいる。
【００８５】
中央部材４２は、可撓性で軟質の材料から形成される。この材料は、剛体ではあるが、曲げやすい。ヘッドレスト部材１０は、可撓性で軟質のクッション材から形成される。第１の側面部材５０、第２の側面部材６０、２つのチャネル要素５１及び６１は、全て硬質で剛体ではあるが、曲げやすい塑性材料でできている。本実施例によれば、この材料はポリマーであり、特に、ポリプロピレンである。
【００８６】
他の実施例によれば、ヘッドレスト部材１０は必ずしも可撓性である必要はないが、その側面部分の枢動を可能にする必要があることを示すべきである。
【００８７】
取付配置部７０は、第１のストリップ対７２及び第２のストリップ対７６を備えている。各ストリップ対は、他の面ファスナのそれぞれに連接する。他の実施例によれば、ストリップは、それぞれ他の公知の機械的手段に連接する。
【００８８】
上で示したように、ヘッドレスト部材１０は、その第１の状態で図１Ａ〜１Ｆに示されている。この状態において、第１の側面部分２０及び第２の側面部分３０は、距離Ｄ１（図１Ｂ及び１Ｄ）で表される第１の範囲で互いから離間されている。距離Ｄ１は、回転軸Ｘと平行で、頭部６の中心点６’を通過する軸に沿って取られる。ヘッドレスト部材１０の第１の状態は、ヘッドレスト部材１０の側面部分が逆戻りする傾向があるその通常状態である。通常状態は、ヘッドレスト部材１０の寸法形状及び構造により提供される。
【００８９】
拘束部材４０は、第１及び第２の側面部材５０及び６０間の距離が、その上方及び下方位置間の拘束部材４０の枢動中に略一定であるように、構築されている。拘束部材４０のこの特性と、第１及び第２の側面部材５０及び６０間の距離が拘束部材４０の上方構成において外面２２及び３２間の距離よりも小さいという事実とに鑑みて、その上方位置からその下方位置への拘束部材４０の変位は、ヘッドレスト部材１０がその第２の状態を呈する原因となる。この結果は、第１及び第２の側面部材５０及び６０によって提供され、これにより、背面部分１２に対して、それぞれ、第１及び第２の側面部分２０及び３０を曲げ、それらが互いに接近する原因となる。同様に、その下方位置からその上方位置への拘束部材４０の変位は、ヘッドレスト部材１０がその通常の第１の状態を呈する原因となる。
【００９０】
ここで、拘束部材４０がその下方位置にあり、ヘッドレスト部材１０がその第２の状態にあるヘッドレストレイント１の動作の構造及び方法を詳細な方法で説明するために、図２Ａ〜２Ｆを参照する。
【００９１】
図２Ｂに示すように、レストレイント部材４０の下方位置において、その中央部材４２は、子供の頭部６の前額部７の前に位置し、間隙ｍが中央部材４２と前額部７との間に延在するように、それから離間されている。間隙ｍは、子供５が起きている場合に、前額部７と拘束部材４０との間の接触がないため、格別の快適度を子供５に提供する。しかし、前額部７と中央部材４２との間の接触が確立される場合に、拘束部材４０が有効に動作することを可能にするために、間隙は大きすぎるべきではない。子供の頭部６が、彼女が眠った時に前方に倒れる場合、この接触が確立されてもよい。
【００９２】
加えて、図２Ｂに示すように、第１及び第２の側面部分２０及び３０は、子供の頭部（図２Ｂにおいて）の側面８及び８’に対する支持を提供する。第１及び第２の側面部分２０及び３０は、更に、ユーザの頭部６のための側面衝撃保護具を構成する。
【００９３】
上で示したように、ヘッドレスト部材１０は、その第２の状態で図２Ａ〜２Ｆに示されている。この状態において、第１の側面部分２０及び第２の側面部分３０は、距離Ｄ１よりも小さい距離Ｄ２（図２Ｂ及び２Ｄに示す）で表される第２の範囲で互いから離間されている。距離Ｄ２は、回転軸Ｘと平行で、頭部６の中心点６’を通過する軸に沿って取られる。図２Ｂに示すように、第１及び第２の側面部分２０及び３０は、ユーザのこめかみの近傍に配設され、それによって、子供の耳に届く騒音を低減し、彼女の眠りの質を向上する。
【００９４】
距離Ｄ２は、拘束部材４０の長さを変更することによって調節できる。例えば、子供が、第１及び第２の側面部分が彼の耳に接触することを不快と感じるようであれば、拘束部材４０の長さを増大させ、それによって距離Ｄ２を増大することができる。
【００９５】
現在開示する主題のヘッドレストレイントはモジュール式であり、２つの構成：前部構成（図１Ａ〜１Ｆ及び２Ａ〜２Ｆに示す）及び後部構成（図４Ａに示す）を有する。
【００９６】
拘束部材４０がその上方及び下方位置間で枢動自在な前部構成とは対照的に、後部構成において、拘束部材４０は、これらの位置の間で変位可能ではない。
【００９７】
ここで、ヘッドレストレイント１がその分解構成にあることを示す図３を参照する。この構成において、ヘッドレスト部材１０は拘束部材４０から係脱される。その上、拘束部材４０自体は、中央部材４２が第１の側面部材５０及び第２の側面部材６０から分離されるように、分解されている。
【００９８】
ここで、ヘッドレストレイント１の後部構成を詳細な方法で説明するために、図４Ａを参照する。後部構成において、第１及び第２の側面部材５０及び６０は、ヘッドレスト部材１０の後側に連接し、それに接続されている。特に、拘束部材４０はヘッドレスト部材１０の外装面１８を全体的に係合させ、第１の側面部材５０は、第１のスナップファスナ５４（図４Ａでは図示せず）を用いて外装面２２に連接し、第２の側面部材６０は、第２のスナップファスナ６４を用いて外装面３２に連接している。第１及び第２の突出部分は、それらそれぞれの第１及び第２の区切チャネルから引き出されている。図４Ａに示すように、ヘッドレスト部材１０の外装面１８との拘束部材４０の完全な係合を得るために、拘束部材４０の長さはそれぞれ減少されている。
【００９９】
後部構成において、ヘッドレストレイント１は機能せず、必要に応じて異なる座席に取り付けられるよう、様々な場所に移送することができる。その上、後部構成において、ヘッドレストレイント１は、矢印９０の方向に丸めるか、折り畳むことによってコンパクトに束ねることができる。
【０１００】
ここで、ヘッドレストレイント１がその束ねられた形態にあることを示す図４Ｂを参照する。この形態は、図４Ａのヘッドレストレイント１を矢印９０の方向に丸めることによって得られる。図４Ｂに示すように、束ねられた形態において、ヘッドレストレイント１は極めてコンパクトであり、大人の一方の手によって把持することができる。
【０１０１】
ここで、現在開示する主題の別の実施例によるヘッドレストレイント１００を有するチャイルドシート１０３を示す図の図５及び６Ａ〜６Ｆに注目する。
【０１０２】
チャイルドシート１０３は、子供の身体を支持するために構成される着座部分１０１と、子供の頭部を支持するために構成されるシートヘッドレスト１０４とにより構成されている。ヘッドレストレイント１００は、縫製によってシートヘッドレスト１０４に取り付けられ、それと一体化され、最終的にチャイルドシート１０３の一部を構成している。
【０１０３】
図６Ａ〜６Ｆを参照すると、ヘッドレストレイント１００は、ヘッドレスト部材１１０と、それに枢動自在に連接する拘束部材１４０とを備えている。拘束部材１４０は、上方位置（図６Ａ〜６Ｆに示す）と下方位置（図７Ａ〜７Ｆに示す）との間でＸ軸（図６Ｂ及び７Ｂに示す）を中心としてヘッドレスト部材１１０に対して回転されるよう構成される。この回転は、ユーザ自身によって、彼の手のうちの一方によって行うことができる。
【０１０４】
ここで、ヘッドレストレイント１００の動作の一般的な方法を説明するために、図６Ｆ及び７Ｆを参照する。
【０１０５】
図６Ｆに示すように、拘束部材１４０の上方位置において、子供１０５がチャイルドシート１０３に着座しており、彼女の頭部１０６はヘッドレスト部材１１０に寄りかかっており、拘束部材１４０が弓状様式で頭部１０６の上にあるが、子供の頭部の上に十分な間隙を持って配設されている。加えて、ヘッドレスト部材１１０は、その第１及び第２の側面部分１２０及び１３０が第１の範囲で互いから離間されているその第１の状態にある。この位置において、子供１０５は起きており、彼女の頭部１０６は、前方向及び各側面に対して自由に動かせるが、シートヘッドレスト１０４のシートの側面部分１０４ａ及び１０４ｂによってある特定の範囲に対して制限されている。
【０１０６】
図７Ｆに示すように、子供１０５が眠ってしまい、従って、ヘッドレストレイント１００が下方位置にある。この位置において、拘束部材１４０は、前方向への頭部１０６の動きを拘束するために、子供１０５の前額部１０７の前方に配設される。加えて、ヘッドレスト部材１１０は、その側面部分が互いから第１の範囲よりも小さい第２の範囲まで離間されているその第２の状態にあり、それによって、側方への頭部１０６の動きを拘束している。拘束部材１４０及びヘッドレスト部材１１０の側面部分によるこのレストレイントは、子供１０５が眠っている間の頭部１０６の向上した安定性と快適な支持とを提供する。特に、拘束部材１４０は、ユーザの頭部１０６が前方に傾斜することを防ぎ、第１及び第２の側面部分１２０及び１３０は、ユーザの頭部１０６が左又は右側に傾くことを防ぐ。その上、上記のレストレイントは、車両の旋回、制動、又は衝突時に、ユーザに対して向上した頭部及び頸部安定性を提供できる。
【０１０７】
ここで、拘束部材１４０がその上方位置にあり、ヘッドレスト部材１１０がその第１の状態にあるヘッドレストレイント１００の動作の構造及び方法を詳細な方法で説明するために、図６Ａ〜６Ｆを参照する。
【０１０８】
ヘッドレスト部材１１０は、背面部分１１２、第１の側面部分１２０、及び第２の側面部分１３０を有している。背面部分１１２並びに第１及び第２の側面部分１２０及び１３０は、子供の頭部１０６のための支持クッションとして形成されている。図６Ｂに示すように、背面部分１１２は、頭部１０６の背面部分１０９に対する支持を提供する。
【０１０９】
第１の側面部分１２０及び第２の側面部分１３０は、それぞれ、背面部分１１２の２つの対向する端部、すなわち、第１の端部１１３及び第２の端部１１４から延在している。その上、第１の側面部分１２０及び第２の側面部分１３０は、ヘッドレスト部材１１０の第１の状態（図６Ａ〜６Ｆ）と第２の状態（図７Ａ〜７Ｆ）との間で、中央部分１１２に対して折り畳むことができる。
【０１１０】
背面部分１１２は、縫製によってシートヘッドレスト１０４に取り付けられ、それと一体化されている。
【０１１１】
拘束部材１４０は、第１の側面部材１５０、第２の側面部材１６０、及びそれらの間に配設される中央部材１４２により構成される。中央部材１４２は、ストラップとして形成され、図６Ｆに示すように、子供の頭部１０６の上に配設される。
【０１１２】
第１の側面部材１５０及び第２の側面部材１６０は、面ファスナによって中央部材１４２に取り付けられる。面ファスナは、（拘束部材の下方位置において）子供の前額部と拘束部材１４０との間の距離、（拘束部材の上方位置において）子供の頭部の上部と拘束部材１４０との距離を調整し、異なる大きさの頭部に対してヘッドレストレイント１００を調整するように、拘束部材１４０の長さを調節することを可能にする。
【０１１３】
その上、面ファスナは、第１及び第２の側面部材１５０及び１６０に対する中央部材１４２の垂直位置を調節することを可能にする。例えば、ヘッドレストレイント１００のユーザが、安眠マスクとして中央部材１４２を使用したい場合、彼は、中央部材１４２が彼の前額部ではなく、彼の眼の前に位置するように、第１及び第２の側面部材１５０及び１６０に対して中央部材１４２を位置決めできる。
【０１１４】
ヘッドレスト部材１１０への拘束部材１４０の枢動自在の連接は、第１のスナップファスナ１５４（図８に示す）を用いて第１の側面部分１２０の外装面１２２（図８に示す）への第１の側面部材１５０によって、及び、第２のスナップファスナ１６４を用いて第２の側面部分１３０の外装面１３２への第２の側面部材１６０の連接によって提供される。
【０１１５】
第１の側面部分１２０は、外装面１２２に形成される第１の区切チャネル１５２（図８に示す）と共に構成され、第２の側面部分１３０は、外装面１３２に形成される第２の区切チャネル１６２と共に構成される。第１の区切チャネル１５２は、外装面１２２に取り付けられるチャネル要素１５１内に形成される。第２の区切チャネル１６２は、外装面１３２に取り付けられるチャネル要素１６１内に形成される。特定の実施例によれば、外装面１２２及び１３２のチャネル要素１５１及び１６１は、接続ストリップ（図８で見て取れる）によって接続されることによって、単一要素に関連している。
【０１１６】
第１の区切チャネル１５２及び第２の区切チャネル１６２は円弧形であり、その長さは、拘束部材の上方及び下方位置間のヘッドレスト部材１１０と拘束部材１４０との間の角度に対応している。本実施例によれば、この角度は約１２０°である。
【０１１７】
図８で見て取れるように、第１の側面部材１５０は、その上方及び下方位置間の拘束部材１４０の変位時に、その２つの最端部間で第１の区切チャネル１５２内に受け取られ、摺動自在に変位できる第１の突出部分１５５と共に構成される。
【０１１８】
図６Ａ及び６Ｃに示すように、第２の側面部材１６０は、上方及び下方位置間の拘束部材１４０の変位時に、それぞれ、下端部１６６と上端部１６７との間で第２の区切チャネル１６２内に受け取られ、摺動自在に変位できる第２の突出部分１６５と共に構成される。下端部１６６は、その上方位置を超える拘束部材１４０の更なる上方枢動を制限し、上端部１６７は、その下方位置を超える拘束部材１４０の更なる下方枢動を制限し、それによって、例えば、中央部材１４２が、所定レベル、例えば、子供の眼の前よりも低く位置することを防いでいる。
【０１１９】
中央部材１４２は、可撓性で軟質の材料から形成される。この材料は、剛体ではあるが、曲げやすい。ヘッドレスト部材１１０は、可撓性で軟質のクッション材から形成される。第１の側面部材１５０、第２の側面部材１６０、２つのチャネル要素１５１及び１６１は、全て硬質で剛体ではあるが、曲げやすい塑性材料でできている。本実施例によれば、この材料はポリマーであり、特に、ポリプロピレンである。
【０１２０】
他の実施例によれば、ヘッドレスト部材１１０は必ずしも可撓性である必要はないが、その側面部分の枢動を可能にする必要があることを示すべきである。
【０１２１】
上で示したように、ヘッドレスト部材１１０は、その第１の状態で図６Ａ〜６Ｆに示されている。この状態において、第１の側面部分１２０及び第２の側面部分１３０は、距離Ｄ３（図６Ｂ及び６Ｄ）で表される第１の範囲で互いから離間されている。距離Ｄ３は、回転軸Ｘと平行で、頭部１０６の中心点１０６’を通過する軸に沿って取られる。ヘッドレスト部材１１０の第１の状態は、ヘッドレスト部材１１０の側面部分が逆戻りする傾向があるその通常状態である。通常状態は、ヘッドレスト部材１１０の寸法形状及び構造により提供される。
【０１２２】
拘束部材１４０は、第１及び第２の側面部材１５０及び１６０間の距離が、その上方及び下方位置間の拘束部材１４０の枢動中に略一定であるように、構築されている。拘束部材１４０のこの特性と、第１及び第２の側面部材１５０及び１６０間の距離が拘束部材１４０の上方構成において外面１２２及び１３２間の距離よりも小さいという事実とに鑑みて、その上方位置からその下方位置への拘束部材１４０の変位は、ヘッドレスト部材１１０がその第２の状態を呈する原因となる。この結果は、第１及び第２の側面部材１５０及び１６０によって提供され、これにより、背面部分１１２に対して、それぞれ、第１及び第２の側面部分１２０及び１３０を曲げ、それらが互いに接近する原因となる。同様に、その下方位置からその上方位置への拘束部材１４０の変位は、ヘッドレスト部材１１０がその通常の第１の状態を呈する原因となる。
【０１２３】
ここで、拘束部材１４０がその下方位置にあり、ヘッドレスト部材１１０がその第２の状態にあるヘッドレストレイント１００の動作の構造及び方法を詳細な方法で説明するために、図７Ａ〜７Ｆを参照する。
【０１２４】
図７Ｂに示すように、レストレイント部材１４０の下方位置において、その中央部材１４２は、子供の頭部１０６の前額部１０７の前に位置し、間隙ｍ’が中央部材１４２と前額部１０７との間に延在するように、それから離間されている。間隙ｍ’は、子供１０５が起きている場合に、前額部１０７と拘束部材１４０との間の接触がないため、格別の快適度を子供１０５に提供する。しかし、前額部１０７と中央部材１４２との間の接触が確立される場合に、拘束部材１４０が有効に動作することを可能にするために、間隙は大きすぎるべきではない。子供の頭部１０６が、彼女が眠った時に前方に倒れる場合、この接触が確立されてもよい。
【０１２５】
加えて、図７Ｂに示すように、第１及び第２の側面部分１２０及び１３０は、子供の頭部（図７Ｂにおいて）の側面１０８及び１０８’に対する支持を提供する。第１及び第２の側面部分１２０及び１３０は、更に、ユーザの頭部１０６のための側面衝撃保護具を構成する。
【０１２６】
上で示したように、ヘッドレスト部材１１０は、その第２の状態で図７Ａ〜７Ｆに示されている。この状態において、第１の側面部分１２０及び第２の側面部分１３０は、距離Ｄ３よりも小さい距離Ｄ４（図７Ｂ及び７Ｄに示す）で表される第２の範囲で互いから離間されている。距離Ｄ４は、回転軸Ｘと平行で、頭部１０６の中心点１０６’を通過する軸に沿って取られる。図７Ｂに示すように、第１及び第２の側面部分１２０及び１３０は、ユーザのこめかみの近傍に配設され、それによって、子供の耳に届く騒音を低減し、彼女の眠りの質を向上する。
【０１２７】
距離Ｄ４は、拘束部材１４０の長さを変更することによって調節できる。例えば、子供が、第１及び第２の側面部分が彼の耳に接触することを不快と感じるようであれば、拘束部材１４０の長さを増大させ、それによって距離Ｄ４を増大することができる。
【図１Ａ】
0006262409.tif 000002
【図１Ｂ】
0006262409.tif 000003
【図１Ｃ】
0006262409.tif 000004
【図１Ｄ】
0006262409.tif 000005
【図１Ｅ】
0006262409.tif 000006
【図１Ｆ】
0006262409.tif 000007
【図２Ａ】
0006262409.tif 000008
【図２Ｂ】
0006262409.tif 000009
【図２Ｃ】
0006262409.tif 000010
【図２Ｄ】
0006262409.tif 000011
【図２Ｅ】
0006262409.tif 000012
【図２Ｆ】
0006262409.tif 000013
【図３】
0006262409.tif 000014
【図４Ａ】
0006262409.tif 000015
【図４Ｂ】
0006262409.tif 000016
【図５】
0006262409.tif 000017
【図６Ａ】
0006262409.tif 000018
【図６Ｂ】
0006262409.tif 000019
【図６Ｃ】
0006262409.tif 000020
【図６Ｄ】
0006262409.tif 000021
【図６Ｅ】
0006262409.tif 000022
【図６Ｆ】
0006262409.tif 000023
【図７Ａ】
0006262409.tif 000024
【図７Ｂ】
0006262409.tif 000025
【図７Ｃ】
0006262409.tif 000026
【図７Ｄ】
0006262409.tif 000027
【図７Ｅ】
0006262409.tif 000028
【図７Ｆ】
0006262409.tif 000029
【図８】
0006262409.tif 000030